(57)【要約】【課題】  複雑な演算処理を行うことなく、平面図データを利用して簡易に立体視効果を呈する図面を作成するシステムの提供。【解決手段】  部材毎に付影属性の有無、高さデータを設定する付影属性設定手段と、付影データを設定する付影データ設定手段と、付影属性、高さデータ、付影データを蓄積する蓄積手段と、付影処理実行指示を受け、前記蓄積された部材毎の付影属性及び高さデータを認識する認識手段と、前記認識の結果、付影属性有の場合において当該部材の形状領域を認識し、影部材として取得する影部材取得手段と、付影属性有の場合において前記蓄積された付影データを認識する認識手段と、付影データに基づき影部材を配置する影部材配置手段と、前記影部材及び部材を彩色する彩色手段と、前記影部材の彩色後に部材の彩色を施す彩色順位実行手段とを有する。【選択図】図１２
2005157810.tif 000002
【特許請求の範囲】
【請求項１】
ＣＡＤにより建築物の間取りプランの設計を行うシステムであって、平面図上に作図した部材に係る形状領域を影領域として当該部材とは別途認識し、当該部材より一定方向、一定距離ずらせて影部材として配置し、当該影部材領域を先に、前記元部材領域を後に彩色処理を施すことにより平面図上に立体視効果を呈することを特徴とする擬似立体図作成システム。
【請求項２】
ＣＡＤにより建築物の間取りプランの設計を行うシステムであって、
当該システムは、
部材毎に付影属性の有無、高さデータを設定する付影属性設定手段と、
付影データを設定する付影データ設定手段と、
前記設定された付影属性、高さデータ、付影データを蓄積する蓄積手段と、
付影処理実行指示を受け、当該システムにより
前記蓄積された部材毎の付影属性及び高さデータを認識する認識手段と、
前記認識の結果、付影属性有の場合において当該部材の形状領域を認識し、影部材として取得する影部材取得手段と、
同じく付影属性有の場合において前記蓄積された付影データを認識する認識手段と、
前記認識された付影データに基づき影部材を配置する影部材配置手段と、
前記影部材及び部材を彩色する彩色手段と、
前記影部材の彩色後に部材の彩色を施す彩色順位実行手段と、
前記彩色された影部材と部材を同一平面図上に表示する表示手段と、
前記表示した平面図を出力する出力手段と
を有する擬似立体図作成システム。
【請求項３】
付影データは、平面図に影をつけるか否か、影方向、影量であることを特徴とする請求項２記載の擬似立体図作成システム。
【請求項４】
複数の部材α、部材βが相互に重なる場合においては、各部材が有する高さデータに基づき表示上の優劣を決定し、この際、部材αと部材αに係る影部材α１は共に同じ高さデータＸを有し、部材βと部材βに係る影部材β１は共に同じ高さデータＹを有するものとし、Ｘ＜Ｙの場合において、部材β、影部材β１の領域が部材α、影部材α１の領域から消去する影面消去処理手段を有することを特徴とする請求項２記載の擬似立体図作成システム。
【請求項５】
ＣＡＤにより建築物の間取りプランの設計を行うシステムを機能させるためのプログラムであって、コンピュータを、
部材毎に付影属性の有無、高さデータを設定する付影属性設定手段と、
付影データを設定する付影データ設定手段と、
前記設定された付影属性、高さデータ、付影データを蓄積する蓄積手段と、
付影処理実行指示を受け、当該システムにより
前記蓄積された部材毎の付影属性及び高さデータを認識する認識手段と、
前記認識の結果、付影属性有の場合において当該部材の形状領域を認識し、影部材として取得する影部材取得手段と、
同じく付影属性有の場合において前記蓄積された付影データを認識する認識手段と、
前記認識された付影データに基づき影部材を配置する影部材配置手段と、
前記影部材及び部材を彩色する彩色手段と、
前記影部材の彩色後に部材の彩色を施す彩色順位実行手段と、
前記彩色された影部材と部材を同一平面図上に表示する表示手段と、
前記表示した平面図を出力する出力手段
として機能させるための擬似立体図作成プログラム。
【請求項６】
部材毎に付影属性の有無、高さデータを設定する付影属性設定手段と、
付影データを設定する付影データ設定手段と、
前記設定された付影属性、高さデータ、付影データを蓄積する蓄積手段と、
付影処理実行指示を受け、当該システムにより
前記蓄積された部材毎の付影属性及び高さデータを認識する認識手段と、
前記認識の結果、付影属性有の場合において当該部材の形状領域を認識し、影部材として取得する影部材取得手段と、
同じく付影属性有の場合において前記蓄積された付影データを認識する認識手段と、
前記認識された付影データに基づき影部材を配置する影部材配置手段と、
前記影部材及び部材を彩色する彩色手段と、
前記影部材の彩色後に部材の彩色を施す彩色順位実行手段と、
前記彩色された影部材と部材を同一平面図上に表示する表示手段と、
前記表示した平面図を出力する出力手段と
配信先の配信要求に応じて配信する配信手段と
を備えたことを特徴とする擬似立体図作成プログラムを配信する配信サーバ装置。
【請求項７】
ＣＡＤにより建築物の間取りプランの設計を行う方法であって、
部材毎に付影属性の有無、高さデータを設定するステップと、
付影データを設定するステップと、
前記設定された付影属性、高さデータ、付影データを蓄積するステップと、
付影処理実行指示を受け、当該システムにより
前記蓄積された部材毎の付影属性及び高さデータを認識するステップと、
前記認識の結果、付影属性有の場合において当該部材の形状領域を認識し、影部材として取得するステップと、
同じく付影属性有の場合において前記蓄積された付影データを認識するステップと、
前記認識された付影データに基づき影部材を配置するステップと、
前記影部材の彩色を行うステップと、
前記影部材の彩色後に部材の彩色を行うステップと、
前記彩色された影部材と部材を同一平面図上に表示するステップと、
前記表示した平面図を出力する出力ステップ
とからなる擬似立体図作成方法。
【発明の詳細な説明】
【技術分野】
【０００１】
本発明は、ＣＡＤ（Computer Aided Design）により平面図として作図される形状データを利用し、複雑な演算処理によることなく簡易に立体感を演出した平面図を作成する技術に関するものである。
【背景技術】
【０００２】
従来、コンピュータシステムを利用して建築プランの設計に際して３次元的な表示を行う場合、光源の位置を設定し、被表示対象物の各面の形状や方向から陰影を求めるといった演算による処理方法、いわゆるレンダリングといわれる手法が知られている。
また、投影図を利用し、演算により立体図を作図する方法がある（以下、特許文献１参照）。
【０００３】
【特許文献１】特許第２８２１４３３
【発明の開示】
【発明が解決しようとする課題】
【０００４】
しかしながら、上記のような手法は複雑な演算処理を要するため、当該演算処理に必要な様々のデータを準備し、且つ、予めシステムに入力しておく必要がある。そして、立体図作成の際においては、例えば、上記特許文献１によれば、被立体表示対象物の個々に係るオペレーターの処理手順が煩雑で、建築物の間取りプランに見られる平面図において立体的に表示しようとする場合には、被対象物が多数存在するため適当ではない。
【０００５】
そこで、本願は、複雑な演算処理を要せず、平面図に作図される図形情報を有効に利用し、簡易なワンタッチ操作だけで擬似的な影を元の部材に重畳表示することで、平面図でありながら３次元的な視覚効果を呈する図を作成可能なシステムを開発しようとするものである。
【課題を解決するための手段】
【０００６】
上記の課題を解決するために、請求項１記載の擬似立体図生成システムは、平面図上に作図した部材に係る形状領域を影領域として当該部材とは別途認識し、当該部材より一定方向、一定距離ずらせて影部材として配置し、当該影部材領域を先に、前記元部材領域を後に彩色処理を施すことにより平面図上に立体視効果を呈することを要旨とする。
【０００７】
また、請求項２記載の擬似立体図作成システムは、部材毎に付影属性の有無、高さデータを設定する付影属性設定手段と、付影データを設定する付影データ設定手段と、前記設定された付影属性、高さデータ、付影データを蓄積する蓄積手段と、付影処理実行指示を受け、当該システムにより前記蓄積された部材毎の付影属性及び高さデータを認識する認識手段と、前記認識の結果、付影属性有の場合において当該部材の形状領域を認識し、影部材として取得する影部材取得手段と、同じく付影属性有の場合において前記蓄積された付影データを認識する認識手段と、前記認識された付影データに基づき影部材を配置する影部材配置手段と、前記影部材及び部材を彩色する彩色手段と、
前記影部材の彩色後に部材の彩色を施す彩色順位実行手段と、前記彩色された影部材と部材を同一平面図上に表示する表示手段と、前記表示した平面図を出力する出力手段とを有することを要旨とする。
【０００８】
また、請求項３記載の擬似立体図作成システムは、請求項２記載の構成において、付影データが、平面図に影をつけるか否か、影方向、影量であることを要旨とする。
【０００９】
また、請求項４記載の擬似立体図作成システムは、請求項２記載の構成において、
複数の部材α、部材βが相互に重なる場合においては、各部材が有する高さデータに基づき表示上の優劣を決定し、この際、部材αと部材αに係る影部材α１は共に同じ高さデータＸを有し、部材βと部材βに係る影部材β１は共に同じ高さデータＹを有するものとし、Ｘ＜Ｙの場合において、部材β、影部材β１の領域が部材α、影部材α１の領域から消去する影面消去処理手段を有することを要旨とする。
【００１０】
また、請求項５記載の擬似立体図作成プログラムは、コンピュータを、部材毎に付影属性の有無、高さデータを設定する付影属性設定手段と、付影データを設定する付影データ設定手段と、前記設定された付影属性、高さデータ、付影データを蓄積する蓄積手段と、付影処理実行指示を受け、当該システムにより前記蓄積された部材毎の付影属性及び高さデータを認識する認識手段と、前記認識の結果、付影属性有の場合において当該部材の形状領域を認識し、影部材として取得する影部材取得手段と、同じく付影属性有の場合において前記蓄積された付影データを認識する認識手段と、
前記認識された付影データに基づき影部材を配置する影部材配置手段と、前記影部材及び部材を彩色する彩色手段と、前記影部材の彩色後に部材の彩色を施す彩色順位実行手段と、前記彩色された影部材と部材を同一平面図上に表示する表示手段と、前記表示した平面図を出力する出力手段として機能させることを要旨とする。
【００１１】
また、請求項６記載の擬似立体図作成プログラムを配信する配信サーバ装置は、部材毎に付影属性の有無、高さデータを設定する付影属性設定手段と、付影データを設定する付影データ設定手段と、前記設定された付影属性、高さデータ、付影データを蓄積する蓄積手段と、付影処理実行指示を受け、当該システムにより前記蓄積された部材毎の付影属性及び高さデータを認識する認識手段と、前記認識の結果、付影属性有の場合において当該部材の形状領域を認識し、影部材として取得する影部材取得手段と、同じく付影属性有の場合において前記蓄積された付影データを認識する認識手段と、前記認識された付影データに基づき影部材を配置する影部材配置手段と、前記影部材及び部材を彩色する彩色手段と、前記影部材の彩色後に部材の彩色を施す彩色順位実行手段と、前記彩色された影部材と部材を同一平面図上に表示する表示手段と、前記表示した平面図を出力する出力手段と配信先の配信要求に応じて配信する配信手段とを備えたことを要旨とする。
【００１２】
また、請求項７記載の擬似立体図作成方法は、部材毎に付影属性の有無、高さデータを設定するステップと、付影データを設定するステップと、前記設定された付影属性、高さデータ、付影データを蓄積するステップと、付影処理実行指示を受け、当該システムにより前記蓄積された部材毎の付影属性及び高さデータを認識するステップと、前記認識の結果、付影属性有の場合において当該部材の形状領域を認識し、影部材として取得するステップと、同じく付影属性有の場合において前記蓄積された付影データを認識するステップと、前記認識された付影データに基づき影部材を配置するステップと、前記影部材の彩色を行うステップと、前記影部材の彩色後に部材の彩色を行うステップと、前記彩色された影部材と部材を同一平面図上に表示するステップと、前記表示した平面図を出力する出力ステップとからなることを要旨とする。
【発明の効果】
【００１３】
本発明によれば、光源とモデルの形状や面から複雑な計算処理で影を求めるのではないため、コンピュータシステムにかかる負担を軽減でき、迅速な作成が可能となる。また、平面図として作図される形状データを生かして簡易に立体感を演出した平面図を、複雑な数値入力作業を要せず簡単な操作で作成することが可能となる。
【００１４】
また、パース図のような３次元的な図と異なり、平面図が持つ特性である1／１００などの縮尺が表現できるので、顧客にとっては間取りや空間構成がわかりやすく、且つ、スケール感がつかみやすい図を作成することが容易に可能となる。
【発明を実施するための最良の形態】
【００１５】
図１は本発明の擬似立体図作成システムの構成図である。請求項に記載された本発明に係るシステムは、この図に示すように、システムを制御するプログラムされた主制御部(1)に記憶装置(2)が接続され、当該主制御部(1)にはキーボードやマウス等のポインティングデバイスからなる入力装置(3)、入力データのモニタリングや検索結果を表示する表示装置(4)、検索結果を出力する出力装置(5)が接続されている。
【００１６】
主制御部(1)にはＯＳ（Operating system）等の制御プログラムと、本発明に係るプログラムを機能させる各種手段の他、当該手段の処理手順を規定したプログラム及びシステムを稼動させるために必要となる諸手段が格納されている。
また、その他、各種データの一時蓄積のための内部メモリや、コンピュータシステムを稼動させ、前記プログラムを実行させる上で必要なハードウエアやソフトウエアなどの構成要件は当然有するものとする。
【００１７】
なお、本システムは上記の構成に限られるものでなく、他の既知の構成によってもよい。即ち、ＣＤ−ＲＯＭ等のコンピュータ読み取り可能な記録媒体に本システムに係るプログラムやファイル等を記録して、他のコンピュータにインストールして利用できるほか、配信サーバ装置を利用し、配信先の配信要求に応じて、ネットワークを介して他のコンピュータのメモリへ、本システムに係るプログラムやファイル等ダウンロードしたり、また、機能のみを利用させたりすることとしても良い。
【００１８】
請求項２及びその他の請求項に記載の「付影属性の有無」とは、平面図に配置された部材に対して影を付けるか否かを部材毎に定義するものである。付影処理の実行指令を受け、当該属性がシステムにより認識され、所定の処理が施される。
【００１９】
請求項２及びその他の請求項に記載の「高さデータ」とは、部材毎に定義されるものであり、付影処理が行われる場合であって、複数の部材が相重なって配置される場合、どちらの部材を優先させるかを定義するものである。即ち、低い位置データを有する部材は、高い位置データを有する部材により後述の実施例において詳述する影面消去処理が施されることとなる。
【００２０】
請求項３に記載の「影方向」とは、部材に付す影の方向をいう。「左上」「左下」「右上」「右下」の４つの方向から任意に指定することが可能である。なお、この４つの方向に限られず、更に細かく８方向、１６方向など設定することとしても良い。
方向を定義するにあたっては、部材の一点を示す座標に特定の係数を乗じた結果得られる影部材の対応点を取り、並行移動させるといった手法が考えられるが、その他の手法によっても良い。
【００２１】
請求項３に記載の「影量」とは、部材と影部材とのズレ量をいう。図示しないが、例えばズレの程度を予め３段階程度に設定しておき、この「影量」により立体視効果が調節可能とすべく任意に設定できることとしても良い。
影量を定義するにあたっては、部材の一点を示す座標に特定の係数を乗じた結果得られる影部材の対応点を取り、並行移動させるといった手法が考えられるが、その他の手法によっても良い。
【実施例１】
【００２２】
本発明の第1の実施例を図１、図２、図４〜図7に基づいて説明する。
本実施例は、平面図上に作図された部材につき、擬似的な影を付し、平面図でありながら３次元的な視覚効果を呈する図の作成に係る技術に関するものであり、単独部材を例に挙げたものである。
【００２３】
図１は本発明に係るシステムの構成を示す図、図２は本実施例に係る処理の流れを示すフロー図、図４は付影を指示する操作画面を示す図、図５は元部材と影部材を示す図、図６は影部材を付影データに基づき元部材と重畳表示したことを示す図、図７は付影処理完了図である。
【００２４】
図中、(1)は主制御部、(2)は記憶装置、(3)は入力装置、(4)は表示装置、(5)は出力装置、(6)は洗面台である元部材、(7)は洗面台の影部材、(P)は影方向、(Q)はズレ量である。
【００２５】
本発明に係るシステムは通常のＣＡＤ機能に加え、平面図上に擬似影を付す機能を有するものであり、ＣＡＤ本来の機能として、当然に平面図等建築図面の作成、保存機能や、作成した図面を任意に抽出、編集等行う機能を備えている。そして所望の情報入力はキーボ−ド等の入力装置(3)により、また、種々の情報処理は主制御部(1)により、また、入力情報や処理情報は必要に応じて記憶装置(2)内に一時保存される。
なお、平面図等の作成時に必要となる部材、即ち、机、椅子、応接セット、洗面所、浴槽等の各部材は本システムが有するＣＡＤ機能により予め作図され、各部材とも形状データとして記憶装置(2)内に蓄積され、所定の操作に基づき各部材は平面図上に任意に領域自在に配置される。さらに、付影属性の有無を部材毎に予め定義付けし、同記憶装置(2)内に各部材情報とリンクして蓄積され、適宜認識される。なお、本実施例において洗面台(6)の付影属性は「有」である。
【００２６】
本実施例においては、既に平面図は作成され、当該図面上に各部材、即ち、机、椅子、応接セット、洗面所等が配置されているものとし、更に立体視効果を得るために本発明に係る処理を施すものである。
【００２７】
本システムを操作するオペレーターは、付影処理を行うにあたり、まず、表示装置(4)の画面（図４）上にて「彩色・影付き」の項目において「影をつける」を選択し、また、「影の方向」の項目においては、「左上」「左下」「右上」「右下」の４つの中から「右下」の方向を選択し(S101)、「ＯＫ」キーをクリックすることで付影処理の実行をシステムに認識させる。
なお、図示しないが影量についても当該画面上で設定できるものとして良い。元部材と影部材との表示のズレ(Q)がこの影量となるが、設定の手法としては、元部材の任意の点を示す座標値に係数を乗じて得た対応する影部材の点を特定するといった手法が考えられる。
【００２８】
本システムに係る主制御部(1)は、上記実行指示を受け、平面図上の各部材の中で付影属性が「有」と定義付けられた部材を認識(S102)し、当該認識された元部材の形状に係る領域を認識する(S103)。当該形状領域は影部材の領域(7)として、元部材(6)とは別途、取得される(S104)（図５）。
【００２９】
次に、予め設定された影方向や影量が認識され(S105)、図６に示すように、本システムを構成する主制御部(1)により当該情報に基づき影部材(7)が所定の位置に配置される(S105)。
【００３０】
さらに、まず影部材(7)が所定の色で彩色され(S106)、その後、元部材(6)が彩色される(S107)ことで、図７に示すように両部材が表示手段(4)上に重畳表示される。
なお、彩色に関しては影部材と元部材とは別に予めＲＧＢテーブルにより設定されており、影部材の彩色においては、元部材の異同を問わず当該設定色により彩色が施される。元部材は部材毎に予めＲＧＢテーブルにより夫々設定されており、付影処理実行時に影部材の後に彩色処理が施される。
【００３１】
以上の通り、本実施例によれば、平面図として作図された部材の形状データを生かして簡易に立体感を演出した平面図を簡単な操作で作成することができる。
【００３２】
光源や被表示物の形状や面に係る情報を利用した複雑な演算により影を求めるのではないため、演算に必要な数値情報等の入力操作は不要となり、コンピュータシステムへの負荷をかけないというばかりでなく、一連の処理に要する時間も短くなるため、効率良く、視覚効果の高い平面図が作成できる。
【００３３】
また、３次元的な図（パース図）等と異なり、平面図が持つ特性である1／１００などの縮尺が表現できるので、顧客にとっては間取りや空間構成がわかりやすく、且つ、スケール感がつかみやすい図が得られる。
【実施例２】
【００３４】
本発明の第２の実施例を図１、図３、図４、図８〜図１２を参照しながら説明する。
本実施例は、平面図上に作図された部材につき、擬似的な影を付し、平面図でありながら３次元的な視覚効果を呈する図の作成に係る技術に関するものであり、相互に重複する複数の部材デッキ及びテーブルを例に挙げたものである。
【００３５】
図３は本実施例に係る処理の流れを示すフロー図、図８はデッキ、デッキの影、テーブル、テーブルの影を示す図、図９は影面消去がなされたことを示す図、図１０は付影処理完了図、図１１は付影処理前平面図、図１２は付影処理後平面図である。
【００３６】
図中、(8)はデッキ部材、(9)デッキの影部材、(10)はテーブル部材、(11)はテーブルの影部材、(12)はテーブル及びテーブルの影領域で影面処理されたデッキ部材、(13)はテーブル及びテーブルの影領域で影面処理されたデッキの影部材である。
【００３７】
先の実施例と同様、本発明に係るシステムは通常のＣＡＤ機能に加え、平面図上に擬似影を付す機能を有するものであり、ＣＡＤ本来の機能として、当然に平面図等建築図面の作成、保存機能や、作成した図面を任意に抽出、編集等行う機能を備えている。そして所望の情報入力はキーボ−ド等の入力装置(3)により、また、種々の情報処理は主制御部(1)により、また、入力情報や処理情報は必要に応じて記憶装置(2)内に一時保存される。
なお、平面図等の作成時に必要となる部材、即ち、机、椅子、応接セット、洗面所、浴槽等の各部材は本システムが有するＣＡＤ機能により予め作図され、各部材とも形状データとして記憶装置(2)内に蓄積され、所定の操作に基づき各部材は平面図上に任意に配置される。さらに、付影属性の有無、高さデータは部材毎に予め定義付けされ、同記憶装置(2)内に各部材情報とリンクして蓄積され、適宜認識される。なお、本実施例においてデッキ(8)及びテーブル(10)は付影属性「有」であり、テーブルの高さデータはデッキの高さデータより高いものとする。なお、一の部材と当該部材に係る影部材とは同じ高さに定義される。
【００３８】
本実施例においても既に平面図は作成され、当該図面上に各部材、即ち、机、椅子、応接セット、洗面所等が配置されているものとし、立体視効果を得るために本発明に係る処理を施すものである。
【００３９】
本システムを操作するオペレーターは、付影処理を行うにあたり、まず、表示装置(4)の画面（図４）上にて「彩色・影付き」の項目において「影をつける」を選択し、また、「影の方向」の項目においては、「左上」「左下」「右上」「右下」の４つの中から「右下」の方向を選択し(S201)、「ＯＫ」キーをクリックすることで付影処理の実行をシステムに認識させる。
なお、影量についても当該画面上で設定できるものとして良い。元部材と影部材との表示のズレ(Q)が影量となるが、設定の手法としては、元部材の任意の点を示す座標値に係数を乗じて得た対応する影部材の点を特定するといった手法が考えられる。
【００４０】
本システムに係る主制御部(1)は、上記実行指示を受け、平面図上の各部材の中で付影属性が「有」と定義付けられた部材を認識(S202)し、当該認識された元部材の一つであるデッキ(8)の形状に係る領域を認識する(S203)。当該形状領域は影部材の領域(9)として、元部材(8)とは別途、取得される(S204)（図８）。テーブル部材(10)についても同様に認識され、テーブルの形状に係る領域を認識し、テーブルの影部材の領域(11)として、元部材(10)とは別途、取得される。そして、予め設定された影方向や影量が認識される(S205)。
【００４１】
次に、異なる部材間の高さ関係の認識が行われる(S206)。今、デッキ(8)、デッキの影(9)、テーブル(10)、テーブルの影(11)の４つの部材領域が相重なる。そして高さ関係では、前述の通り一の部材と当該部材の影部材とは同一の高さとして定義されているため、デッキとデッキの影は同じ高さに、テーブルとテーブルの影は夫々同じ高さに認識されている。そして、後２者は前２者より高い位置にある。
【００４２】
デッキ(8)とデッキの影(9)の形状領域から、これらより高い高さデータを有するテーブル(10)とテーブルの影(11)の領域で影面消去がなされ(S207)、図９に示す影面消去処理後のデッキ(12)、影面消去処理後のデッキの影(13)各部材が夫々得られる。
【００４３】
そして、まずデッキの影(13)、テーブルの影(11)が所定の色で彩色された(S208)後、デッキ(12)、テーブル(10)が彩色され(S209)、図１０に示すようにデッキ、デッキの影、テーブル、テーブの影が表示手段(4)上に重畳表示される。
なお、彩色に関しては影部材と元部材とは別途、予めＲＧＢテーブルにより設定されており、影部材の彩色においては、元部材の異同を問わず当該設定色が反映される。元部材は部材毎に予めＲＧＢテーブルにより夫々設定されており、付影処理実行時に影部材の後に彩色処理が施される。
【００４４】
以上の通り、本実施例によれば、複数の部材が相互に重複する場合においても、平面図として作図された部材の形状データを生かして簡易に立体感を演出した平面図を、簡単な操作で作成することができる。付影処理後の平面図（図１２）を付影処理前の平面図（図１１）と比較すれば、その立体視効果は著しい。
【００４５】
また、光源や被表示物の形状や面に係る情報を利用した複雑な演算により影を求めるのではないため、演算に必要な数値情報等の入力操作は不要となり、コンピュータシステムへの負荷をかけないというばかりでなく、一連の処理に要する時間も短くなるため、効率良く、視覚効果の高い平面図が作成できる。個々の部材について特定の処理が必要な従来技術によれば、複数の部材が重複する場合には、一層、処理が複雑となるが、本実施例によれば、容易に立体視効果のある図を作成することが可能である。
【００４６】
また、パース図等の３次元的な図と異なり、平面図が持つ特性である1／１００などの縮尺が表現できるので、顧客にとっては間取りや空間構成がわかりやすく、且つ、スケール感がつかみやすい図となる点についても先の実施例と同様である。
【産業上の利用可能性】
【００４７】
本発明によれば、建築物の間取りプランに限られず、鳥瞰図など本格的な立体図を作成するほどには時間的に、また、技術的に余裕がない場合であっても、平面図とは一味異なる立体視効果を呈する擬似立体図が得られる。特に、多数の被表示物が部材として表示されているものであればあるほど、個々の部材への処理作業が殆ど不要な本発明は非常に有用となる。
【図面の簡単な説明】
【００４８】
【図１】本発明に係るシステムの構成を示す図
【図２】実施例１に係る処理の流れを示すフロー図
【図３】実施例２に係る処理の流れを示すフロー図
【図４】付影を指示する操作画面を示す図
【図５】元部材と影部材を示す図
【図６】影部材を付影データに基づき元部材と重畳表示したことを示す図
【図７】付影処理完了図
【図８】デッキ、デッキの影、テーブル、テーブルの影を示す図
【図９】影面消去がなされたことを示す図
【図１０】付影処理完了図
【図１１】付影処理前平面図
【図１２】付影処理後平面図
【符号の説明】
【００４９】
1  主制御部
2  記憶装置
3  入力装置
4  表示装置
5  出力装置
6  元部材
7  影部材
8  デッキ部材
9  デッキの影部材
10  テーブル部材
11  テーブルの影部材
12  テーブル及びテーブルの影領域で影面処理されたデッキ部材
13  テーブル及びテーブルの影領域で影面処理されたデッキの影部材
P  影方向
Q  ズレ量
【図１】
2005157810.tif 000003
【図２】
2005157810.tif 000004
【図３】
2005157810.tif 000005
【図４】
2005157810.tif 000006
【図５】
2005157810.tif 000007
【図６】
2005157810.tif 000008
【図７】
2005157810.tif 000009
【図８】
2005157810.tif 000010
【図９】
2005157810.tif 000011
【図１０】
2005157810.tif 000012
【図１１】
2005157810.tif 000013
【図１２】
2005157810.tif 000014